(57)【特許請求の範囲】
【請求項１】
機構的に接合，分離が可能に構成された増幅部（3）と電源部（2）とを備える電源部分離型ブースタ装置の構造であって、
増幅部（3）は上部の側に、電源部（2）は下部の側に位置する状態で、両者は着脱自在に重合状に構成し、上記増幅部（3）と電源部（2）との対向面にあっては、
増幅部（3）の下面側には、
アンテナからのテレビ受信信号を入力する為の端子であって、給電線を着脱自在に接続できるようにしてある凸状形成の信号入力端子（31）と、上記受信信号を内部の増幅回路で増幅した後のテレビ受信信号を出力すると共に、電源の入力をする為の端子であって、給電線を着脱自在に接続できるようにしてある凸状形成の信号出力兼電源入力端子（32）とを備えさせ、
電源部（2）の上面側には、
上記凸状形成の信号入力端子（31）に嵌合可能にする凹状で、かつ、上記信号入力端子（31）に嵌合一体化させた状態では電源部（2）に備えさせる受信信号入力端子（25）からの受信信号を上記信号入力端子（31）に伝達可能にしてある電気信号端子（21）と、
上記凸状形成の信号出力兼電源入力端子（32）に嵌合可能にする凹状で、かつ、上記信号出力兼電源入力端子（32）に嵌合一体化させた状態では電源部（2）に備えさせる信号出力用端子（26）に向けて上記信号出力兼電源入力端子（32）からの信号を伝達可能にすると共に、電源部（2）からの電力を信号出力兼電源入力端子（32）対して伝達可能にしてある電気信号電力端子（22）とを備えさせ、
更に電源部（2）には、
テレビ受信信号を入力する為の受信信号入力端子（25）と、上記信号出力兼電源入力端子（32）から出力されたテレビ信号を次段に向けて出力するようにした信号出力用端子（26）と、上記増幅部（3）における内部の増幅回路に対し上記信号出力兼電源入力端子（32）を介して電力を供給する為の電源入力部（27）とを備えさせ、
一方、前記増幅部（3）の外周壁の周囲から電源部（2）側に向けて下向きのスカート状の壁（33）を延出して、前記増幅部（3）における前記電源部（2）に接合する面と、信号入力端子（31）及び信号出力兼電源入力端子（32）とを取り囲み状に構成し、更に、
前記スカート状の壁（33）で囲まれる凹状空間内には、上記電源部（2）の本体（2b）を外部に残す状態で頭部（2a）のみを挿入することで前記増幅部（3）と前記電源部（2）との機構的な着脱自在の接合を可能にすると共に、夫々対応する、信号入力端子（31）と電気信号端子（21）及び信号出力兼電源入力端子（32）と電気信号電力端子（22）とが接合するようにして、
上記増幅部（3）と電源部（2）とを一体化させた状態では、上記増幅部（3）と電源部（2）との信号入力端子（31）と電気信号端子（21）とは直接接合されて、電源部（2）側に入力されるテレビ信号を前記増幅部（3）に伝達すると共に、
信号出力兼電源入力端子（32）と電気信号電力端子（22）も直接接合され、それらの端子を介して電源部（2）側から電力を受け入れると共に、その電力を用いて増幅部（3）において増幅されたテレビ信号を前記電源部（2）の信号出力用端子（26）に向けて伝達するようにしてある
ことを特徴とする電源部分離型ブースタ装置の構造。
【請求項２】
請求項１において、前記スカート状の壁（33）の先端部に内側に突出する係合用突起（35）を設け、前記電源部（2）の頭部付根部に前記係合用突起（35）と係合する係止用凹部（23）を設け、前記増幅部（3）を前記電源部（2）に機構的に接合するとき前記係合用突起（35）を前記係止用凹部（23）に係合させることを特徴とする電源部分離型ブースタ装置の構造。
【発明の詳細な説明】
【０００１】
【発明の属する技術分野】
本発明はアンテナで受信したテレビ信号を増幅してから受信機に供給するブースタ装置に係り、特に、受信信号を増幅する増幅部とブースター装置の電源部とを着脱自在に分離できる構成とし、両者を一体型にして使用することも両者を分離して使用することも可能な電源部分離型ブースタ装置の構造に関する。
【０００２】
【従来の技術】
アンテナで受信したテレビ信号を増幅するブースタ装置を、機構的に電源部と増幅部とに分離可能にし、両者を一体にして使用することも、両者を分離して使用することもできるようにした従来技術として、実開昭５７‐３１８８５号，実開昭５７‐５３６９５号，実開昭５７‐２７４１号などがある。
【０００３】
これらの従来技術では、電源回路を収納した筐体（これを電源部という。）と、増幅回路を収納した筐体（これを増幅部という。）とを、着脱可能な構造とし、ブースタ装置全体を屋内に設置するときは両筐体を接合して一体型にし、増幅部を屋外に設置するときは、両筐体を分離し、増幅部を屋外のアンテナ近辺に取り付けると共に電源部を屋内に設置し、両者間を給電線により接続するようにしている。
【０００４】
【発明が解決しようとする課題】
上述した実開昭５７‐２７４１号公報には、電源部の側壁に凸部（凸条）を設け、増幅器の側壁に凹部（凹条）を設け、両者をスライド嵌合させることで一体化させることが記載されている。しかし、このような構造で電源部と増幅部とを機構的に接合すると、ブースタ装置の設置個所が安定していないと前記凸部凹部の接合箇所に無理な力が集中してしまい、接合箇所が破損する虞がある。
【０００５】
また、実開昭５７‐３１８８５号公報や実開昭５７‐５３６９５号公報記載の従来技術では、電源部と増幅部とを一体に接合するのに、電源部や増幅部とは別体で構成されたリブ等の接合部材を用いるため、この接合部材をなくしてしまうと、別の代用品などを用いて接合せざるを得ず、美観を損ねるという問題がある。また、一体に組み立てる場合に小さな接合部材を嵌め合わせたりネジ止めしたりと、その作業が面倒であるという問題もある。更に、上述した従来技術では、電源部と増幅部とを機構的に接合する他に、両者間の電気的な接続を図るために渡し配線作業が必要になるという問題もある。
【０００６】
本発明の目的は、電源部と増幅部を機構的に一体に接合したとき、増幅部の外周壁から電源部側にスカート状の壁を延出して、前記増幅部の前記電源部に接合する面と前記スカート状の壁とで構成される凹状空間内に該電源部の頭部を挿入する構成にすることにより、接合部分に無理な力が加わらないようにした電源部分離型ブースタ装置の構造を提供することにある。
本発明の他の目的は、電源部と増幅部とを機構的に一体に接合したときや分離したときの美観を保つ電源部分離型ブースタ装置の構造を提供することにある。
本発明の他の目的は、電源部と増幅部との機構的な接合と電気的な接続をワンタッチで行うことができる電源部分離型ブースタ装置の構造を提供することにある。
【０００７】
【課題を解決するための手段】
本発明の電源部分離型ブースタ装置は、
機構的に接合，分離が可能に構成された増幅部（3）と電源部（2）とを備える電源部分離型ブースタ装置の構造であって、
増幅部（3）は上部の側に、電源部（2）は下部の側に位置する状態で、両者は着脱自在に重合状に構成し、上記増幅部（3）と電源部（2）との対向面にあっては、
増幅部（3）の下面側には、
アンテナからのテレビ受信信号を入力する為の端子であって、給電線を着脱自在に接続できるようにしてある凸状形成の信号入力端子（31）と、上記受信信号を内部の増幅回路で増幅した後のテレビ受信信号を出力すると共に、電源の入力をする為の端子であって、給電線を着脱自在に接続できるようにしてある凸状形成の信号出力兼電源入力端子（32）とを備えさせ、
電源部（2）の上面側には、
上記凸状形成の信号入力端子（31）に嵌合可能にする凹状で、かつ、上記信号入力端子（31）に嵌合一体化させた状態では電源部（2）に備えさせる受信信号入力端子（25）からの受信信号を上記信号入力端子（31）に伝達可能にしてある電気信号端子（21）と、
上記凸状形成の信号出力兼電源入力端子（32）に嵌合可能にする凹状で、かつ、上記信号出力兼電源入力端子（32）に嵌合一体化させた状態では電源部（2）に備えさせる信号出力用端子（26）に向けて上記信号出力兼電源入力端子（32）からの信号を伝達可能にすると共に、電源部（2）からの電力を信号出力兼電源入力端子（32）対して伝達可能にしてある電気信号電力端子（22）とを備えさせ、
更に電源部（2）には、
テレビ受信信号を入力する為の受信信号入力端子（25）と、上記信号出力兼電源入力端子（32）から出力されたテレビ信号を次段に向けて出力するようにした信号出力用端子（26）と、上記増幅部（3）における内部の増幅回路に対し上記信号出力兼電源入力端子（32）を介して電力を供給する為の電源入力部（27）とを備えさせ、
一方、前記増幅部（3）の外周壁の周囲から電源部（2）側に向けて下向きのスカート状の壁（33）を延出して、前記増幅部（3）における前記電源部（2）に接合する面と、信号入力端子（31）及び信号出力兼電源入力端子（32）とを取り囲み状に構成し、更に、
前記スカート状の壁（33）で囲まれる凹状空間内には、上記電源部（2）の本体（2b）を外部に残す状態で頭部（2a）のみを挿入することで前記増幅部（3）と前記電源部（2）との機構的な着脱自在の接合を可能にすると共に、夫々対応する、信号入力端子（31）と電気信号端子（21）及び信号出力兼電源入力端子（32）と電気信号電力端子（22）とが接合するようにして、
上記増幅部（3）と電源部（2）とを一体化させた状態では、上記増幅部（3）と電源部（2）との信号入力端子（31）と電気信号端子（21）とは直接接合されて、電源部（2）側に入力されるテレビ信号を前記増幅部（3）に伝達すると共に、
信号出力兼電源入力端子（32）と電気信号電力端子（22）も直接接合され、それらの端子を介して電源部（2）側から電力を受け入れると共に、その電力を用いて増幅部（3）において増幅されたテレビ信号を前記電源部（2）の信号出力用端子（26）に向けて伝達するようにしてあるにしてある。
【０００８】
また好ましくは、前項において、前記スカート状の壁（33）の先端部に内側に突出する係合用突起（35）を設け、前記電源部（2）の頭部付根部に前記係合用突起（35）と係合する係止用凹部（23）を設け、前記増幅部（3）を前記電源部（2）に機構的に接合するとき前記係合用突起（35）を前記係止用凹部（23）に係合させるようにしても良い。
【０００９】
【発明の実施の形態】
以下、本発明の一実施形態を図面を参照して説明する。図１は、本発明の一実施形態に係る電源部分離型ブースタ装置の要部破断正面図であり、図２は図１に示す電源部分離型ブースタ装置の側面図である。この電源部分離型ブースタ装置１は矩形体を成し、図示しない電源回路を内蔵した電源部２と、この電源部２に帽子を被した様な形で一体に接合される増幅部３とからなる。
【００１０】
増幅部３には図示しない周知の増幅回路が内蔵され、図示しないアンテナからのテレビ受信信号を入力する信号入力用の信号入力端子31（以下単に端子３１ともいう）と、この受信信号を増幅した信号を出力すると共に電源の入力端子ともなる信号出力兼電源入力端子32（以下単に端子３２ともいう）とを有する。これらの端子３１，３２は、凸状に形成されている。
【００１１】
電源部２の、増幅部３に対面する部分には、凸状に形成された前記端子３１に嵌合する電気信号端子21（以下単に凹部２１ともいう）と、同じく凸状に形成された前記端子３２に嵌合する電気信号電力端子22（以下単に凹部２２ともいう）
とが形成されおり、これらの凹部２１，２２は、共に、電気接続端子の機能も併せ持っている。このため、凸状の端子３１，３２を凹部２１，２２に嵌合することで、増幅部３は電源部２に機構的に一体に接合されると同時に、両者は電気的にも接続される。
【００１２】
図３は、端子３２（端子３１や後述する受信信号入力端子25、信号出力用端子26（以下単にこれらのことを端子２５、２６ともいう）の構造も同旨の構造である。）と、これが嵌合する端子２２（端子２１の構造も同旨の構造である。）の断面図である。増幅部３に突設される凸状の端子３２と電源部２に設けられる凹状の端子２２は、共に周知のアンテナ接続用のコネクタに係わる技術で構成される。図３に示すように、端子３２は、増幅部３の筐体３ａに固定された金属製の円柱状支持部材３２ａを有する。この支持部材３２ａの外周部にはネジ３２ｂが螺刻されており、この端子３２に同軸ケーブル等のコネクタを接続するときはこのネジ３２ｂを利用してケーブルを固定することになる。
【００１３】
円柱状支持部材３２ａの内部には、合成樹脂製の電気絶縁材３２ｃが収納され、その内部空間３２ｄ内に、２枚の板バネ状の電気接続端子３２ｅが対向して収納固定されており、支持部材３２ａ及び電気絶縁材３２ｃの開口端３２ｆから挿入された棒状の接続端子を両電気接続端子３２ｅで挟むことで、電気的な接続がなされる。
【００１４】
端子２２は、電源部２の筐体２ｃに固定された金属製の円筒状支持部材２２ａを有する。この円筒状支持部材２２ａは、丁度、端子３２の円柱状支持部材３２ａが内部にピッタリ嵌合する大きさとなっており、支持部材３２ａのネジ３２ｂを利用しなくても支持部材３２ａを固定できる。円筒状支持部材２２ａ内には、前述した板バネ状の電気接続端子３２ｅに挟まれる棒状の接続端子２２ｂが設けられている。この接続端子２２ｂは、円筒状支持部材２２ａ内に固定された合成樹脂製の電気絶縁材２２ｃを貫通する様に設けられ、周囲の金属から絶縁されている。
【００１５】
本実施形態では、端子３１，３２と凹部２１，２２との嵌合で電源部２と増幅部３との機構的な接合，電気的な接続を行っているが、更に、機構的な接合を補強するための接合手段を設けている。これについて説明する。図１に示す様に、増幅部３の四周の壁が電源部２側に延出されスカート状の壁３３が合成樹脂材等、弾力性の得られる材料を利用して壁面に弾力性が得られるように形成されている。そして、この壁３３が板バネとして機能するように、側面側の壁３３の両側には必要に応じて薄肉にした縦条の切れ込み３４が入れられている（図２参照）。そして、側面側の壁３３の先端部には内側に凸設された係合用突起３５が設けられ、正面側及び後面側の壁３３の先端部にも内側に凸設された係合用突起３６が設けられている（図１，２参照）。
【００１６】
増幅部３が帽子状に被せられる電源部２の頭部２ａは、本体２ｂの寸法に比べて、四周で囲まれる壁３３の厚さだけ小さい寸法に形成されており、増幅部３が被せられたとき壁３３の表面と電源部２の本体２ｂの表面とが同一面となるようになっている。これにより、美観が保たれる。また、頭部２ａの本体２ｂ近傍には、前記の係合用突起３５，３６と嵌合する係止用凹部２３，２４が設けられている（この場合、突起３５，３６が凹部であって、凹部２３，２４が突起となっても、これは相対的なものであるから同旨の構成になる）。このため、増幅部３と電源部２とが機構的に一体に接合されたとき、化粧用カバーとして機能する壁３３の先端部の係合用突起３５，３６が、電源部２の係止用凹部２３，２４に係合し、少しくらいの力が加わっても両者が分離してしまうことがないようになっている。
【００１７】
更に、電源部２と増幅部３とを機構的に接合するときは、電源部２の頭部２ａを、この頭部２ａをぴったり包み込むように壁３３で形成された凹状空間内に挿入・嵌合する構成としてあるので、端子（凸部）３１，３２と端子（凹部）２１，２２との位置合わせを気にしなくても凸状の端子３１，３２と凹状の端子２１，２２とはぴったりと嵌合し、電気的な接続不良になる虞はない。
【００１８】
図１中の符号２５，２６は、夫々、電源部２の信号入力端子と信号出力端子である。電源部２と増幅部３を機構的に一体に接合した図１の状態で使用する場合には、図示しないアンテナからの受信信号を信号入力端子２５に入力すると、この入力信号は電源部２の内部配線により増幅部３の信号入力端子３１に送られ、増幅部３の増幅回路で増幅された後、増幅部３の信号出力兼電源入力端子３２から信号出力端子２６に出力され、端子２６に接続された図示外のテレビ受像機に送られる。増幅部３の駆動電力は、コード２７（電源入力部27）を通して取り込んだ商用電源１００Ｖから電源部２内の周知の電源回路によりＤＣ１２ＶあるいはＡＣ２４Ｖとして生成され、増幅部３の信号出力兼電源入力端子３２に入力される。
【００１９】
斯かる電源部分離型ブースタ装置の増幅部３を分離して屋外のアンテナ近くに設置する場合には、増幅部３を電源部２の頭部２ａから引き抜き、アンテナの受信信号を増幅部３の信号入力端子３１に入力する。増幅部３は、屋外に設置される関係で当然に防水加工されている。そして、増幅部３の信号出力兼電源入力端子３２を、電源部２の信号入力端子２５に図示外のケーブル（給電線）等を用いて接続する。このとき、押釦スイッチ２８は図示しない弾発バネの力により図１に示す状態から上方に突出する位置に（図４参照）復帰し、電源部２内の配線接続替えが行われ、増幅部３で増幅されたテレビ受信信号は端子３２からケーブルを介して電源部の信号入力端子２５を通って電源部２内に入って信号出力端子２６から出力される。また、図示しない電源回路の出力電力は信号入力端子２５から出力され、前記ケーブルを介し増幅部３の端子３２から入力される。
【００２０】
このように、増幅部３を分離して電源部２だけを屋内に設置する場合、電源部２の頭部２ａがむき出し状態になると、美観が損なわれると共に、頭部２ａに設けられた凹部２１，２２に埃が溜まったり、頭部２ａに突出する押釦スイッチ２８が何かにぶつかって誤切替作動したり、破損する虞がある。そこで、図４に示す様に、増幅部３の壁３３と同一形状の合成樹脂材形成の化粧カバー４０であって、表面に銘板などを取り付ける頂部平面４１の位置が頭部２ａより押釦スイッチ２８の丈より離れた化粧カバー４０を用意し、頭部２ａに被せるようにする。これにより、美観が保たれ、また、電気接続端子を兼用する凹部２１，２２や押釦スイッチ２８の保護を図ることが可能となる。
【００２１】
図５は、図４に示す化粧カバーの別実施形態を示す要部破断図である。この実施形態に係る化粧カバー４５は、その底面図を図６に示す様に、電源部２の凹部（２１）２２に嵌合する四割の凸部４６，４７が頂部平面４８の裏側に突設されており、電源部２の凹部（２１）２２に対して凸部４６，４７が弾力的に嵌合する性質を利用して化粧カバー４５を取り付けるようにしている。他の係合用突起３５（３６）や係止用凹部２３，２４は図１の実施形態と同じである。
【００２２】
図７は、本発明の別のケースの実施形態に係る電源部分離型ブースタ装置５０の全体斜視図である。図８（ａ）は、図７のVIII-VIII線で切断した増幅部筐体５１及び増幅部収納防水ケース５２の概略断面図であり、図８（ｂ）は同じくカバー６５の概略断面図であり、図８（ｃ）は同じく電源部筐体７０の概略断面図である。図８における端子５１ａ，５１ａ，７０ａ，７０ａ，７０ｇ，７０ｇ及び切替スイッチ用押釦７０ｆ等の電気的相互関係は図１〜３において説明したと同旨なので説明は省略する。増幅部筐体５１には、図３に示すと同様の凸状の端子５１ａが２つ底面に設けられ（１個のみ図示）、外面側の下部には固定片５１ｂが突設されている。この固定片５１ｂには、ネジ孔５１ｃが穿設されている。また上下にはケース取付用舌片５１ｅ，５１ｆが突設してある。
【００２３】
増幅部収納防水ケース５２は、増幅部筐体５１の上面，外面（図８（ａ）の左側），両側面を覆うように一体成形されており、増幅部筐体５１は、その外面側が、ケース５２に設けられた上下のボス５２ａ，５２ｂに挟持され、かつ上下の舌片５１ｅ，５１ｆに設けた透孔にネジ５２ｃ，５２ｄを挿通し、ボス５２ａ，５２ｂの端面に固定されている。尚、増幅部を屋外に設置する場合には、図１，２の場合も同様であるが、増幅部のケース５２の外面に、周知のようにＵボルト５３や蝶ナット５４を用いたマスト取付部５５を取り付けたり、壁面取付用ネジ５６を取り付ける等の対応装着手段を用いることになる。
【００２４】
このケース５２の外面壁はボス５２ｂより更に下側に延出され、その延出壁５２ｇの先端は内側に曲がる係合用突起５２ｈが設けられている。尚、延出壁５２ｇが板バネ作用を持つように、図４に示すような切れ込み３４をこの延出壁５２ｇにも設けてある。また、ケース５２の上面には庇部材５２ｍ及び突起５２ｉが設けられている。これらの庇部材５２ｍ及び突起５２ｉは、カバー６５を取り付けるときにカバー６５をケース５２に仮止めするように機能する。
【００２５】
カバー６５は、ケース５２の上面及び両側面並びに増幅部筐体５１外面５１ｄを覆うように一体成形されている。図８（ｂ）に示す様に、上方の側壁には孔６５ａが穿設されており、この孔６５ａに図示しないネジやケース側に突設する軸部材などを挿入し、カバー６５をケース５２の側面に対し揺動開閉を自在に取り付けるようになっている。また、カバー６５の背面下部には、脱却不能にネジ６５ｂが取り付けられている。
【００２６】
電源部筐体７０は、上面側に前記増幅部筐体５１に設けられた突状の二つの端子５１ａを嵌合する凹状の二つの端子７０ａが対応位置に設けられ、電源部筐体７０の頭部外周面側付根部には係合用凹部７０ｂが形成されている。また、上面側且つ外面側にはスリット７０ｃが設けられることで固定片７０ｄが形成されており、この固定片７０ｄにネジ孔７０ｅが穿設されている。尚、７０ｆは図１に符号２８で示したと同様の機能を備えさせた押釦スイッチであり、７０ｇは電源部筐体７０の下部に設けられた二つの並設の凸状の端子である。
【００２７】
斯かる構成において、電源部と増幅部とを一体型にして使用する場合には、図８（ａ）に示す様にケース５２が取り付けられた増幅部筐体５１の凸状の二つの端子５１ａを、図８（ｃ）の電源部筐体７０の凹状の二つの端子７０ａに挿入・嵌合する。これにより、ケース５２の係合用突起５２ｈが係合用凹部７０ｂに弾力的に係合する。この状態では、増幅部筐体５１の外面側下部の固定片５１ｂは、電源部筐体７０のスリット７０ｃ内に挿入された状態となっており、両方のネジ孔５１ｃ，７０ｅは整合した位置になる。そして、カバー６５の上部を孔６５ａを利用してケース５２に取り付けると、ネジ６５ｂが、丁度、ネジ孔５１ｃ，７０ｅに整合する位置となり、ネジ６５ｂにより、固定片５１ｂと固定片７０ｄとを共締めすることで、これらは強固に一体に接合される。
【００２８】
増幅部を電源部と分離して使用する場合には、ケース５２を取り付けた増幅部にカバー６５を取り付け、これをマスト取付具５５を利用するなどして屋外に設置する。そして、単体の増幅部を屋内に設置する。このとき、図５に示す様な化粧カバーを増幅部に被せて使用するのが好ましい。
【００２９】
【発明の効果】
本発明によれば、増幅部3と、電源部2とは着脱自在に重合状に構成し、増幅部3の下面側には、アンテナからのテレビ受信信号を入力する信号入力端子31と、受信信号を内部の増幅回路で増幅した後の信号を出力すると共に、電源の入力端子ともなるようにされている信号出力兼電源入力端子32とを備えさせてあるから、
増幅部３を屋外のアンテナ近くに設置したい場合には、増幅部３を電源部２の頭部２ａから分離して屋外のアンテナ近くに設置して、アンテナ近くで微弱なテレビ受信信号をアンテナから直接受け入れ、かつ、屋内の電源部2からは電力を受けてそのテレビ受信信号を増幅して、屋内の電源部2に向けて送ることのできる便利な効果がある。
【００３０】
しかもその場合、増幅部３は、電源部２の頭部２ａから２分して用いるものであるから、増幅部３の外形形状は、極めて小嵩となり、屋外に設置しても目障りになり難い効果もある。
その上、上記のように増幅部3の下面側に、信号入力端子31と、信号出力兼電源入力端子32とを備えさせた構成であっても、増幅部3の外周壁の周囲から下向きのスカート状の壁33を延出して、前記の信号入力端子31と、信号出力兼電源入力端子32とを取り囲む構成であるから、防水効果が向上する効果がある。
【００３１】
さらに本発明によれば、増幅部3の外周壁の周囲から電源部2側に向けて下向きのスカート状の壁33を延出して、信号入力端子31及び信号出力兼電源入力端子32とを取り囲み状に構成し、前記スカート状の壁33で囲まれる凹状空間内に、上記電源部2の本体2bを外部に残す状態で頭部2aのみを挿入することで前記増幅部3と前記電源部2との機構的な着脱自在の接合を可能にすると共に、信号入力端子31と電気信号端子21及び信号出力兼電源入力端子32と電気信号電力端子22とが接合するようにして、上記増幅部3と電源部2とを一体化させた状態では、上記増幅部3と電源部2との信号入力端子31と電気信号端子21とは直接接合されて、電源部2側に入力されるテレビ信号を前記増幅部3に伝達すると共に、信号出力兼電源入力端子32と電気信号電力端子22も直接接合され、それらの端子を介して電源部2側から電力を受け入れると共に、その電力を用いて増幅部3において増幅されたテレビ信号を前記電源部2の信号出力用端子26に向けて伝達するようにしてあるから、
上記増幅部3と、電源部２とを一体化させて屋内において使用する状態では、両者の間は、接合強度を高く保つことができる効果があると共に、
外観的には、両者の間に目障りになる給電線が不要となる効果があり、かつ、両者の間は、ワンタッチで機構的な接合と、高周波的な接続と、電力的な接続との三態様の接続が夫々可能となるので、渡し配線作業が不要になる作業上の省力効果もある。
【図面の簡単な説明】
【図１】本願発明の実施形態の電源部分離型ブースタ装置の要部破断正面図である。
【図２】図１に示す電源部分離型ブースタ装置の側面図である。
【図３】図１に示す凸状の端子とこれに嵌合する凹部の断面図である。
【図４】図１に示す電源部分離型ブースタ装置の増幅部を外し化粧カバーを被せた状態を示す要部破断図である。
【図５】化粧カバーの別実施形態に係る要部破断図である。
【図６】図５に示す化粧カバーの底面図である。
【図７】本発明のケースの別実施形態に係る電源部分離型ブースタ装置の全体斜視図である。
【図８】図７のVIII-VIII線による増幅部（ａ），カバー（ｂ），電源部（ｃ）の概略断面図である。
【符号の説明】
１…電源部分離型ブースタ装置、２…電源部、２ａ…電源部頭部、２ｂ…電源部本体、３…増幅部、２１…電気信号端子，２２…電気信号電力端子、２３，２４…係合用凹部、２８…押釦スイッチ、２５…受信信号入力端子，２６…信号出力用端子，３１…信号入力端子，３２…信号出力兼電源入力端子、２７…電源入力部、３３…外周壁、３４…切れ込み、３５，３６…係合用突起、４０，４５…化粧カバー。
【図１】
0004565437.tif 000002
【図２】
0004565437.tif 000003
【図３】
0004565437.tif 000004
【図４】
0004565437.tif 000005
【図５】
0004565437.tif 000006
【図６】
0004565437.tif 000007
【図７】
0004565437.tif 000008
【図８】
0004565437.tif 000009